(57)【要約】【課題】キャップを開放した場合でもキャップがローラースタンプから分離することなく、しかもローラースタンプを転走させて転写する動きに対して全く邪魔にならないようにした新規な蓋付ローラースタンプを提供する。【解決手段】ローラー支持函１に一対の対向するローラー軸受３，３を設け、このローラー軸受３，３間にスタンプローラー６の中心軸７を軸支してスタンプローラー６を回転可能に支持し、該スタンプローラー６の中心軸７に半円弧状のカバー体９の両側に側壁１０，１０を設けたキャップ８を、該スタンプローラーを６被覆して回動可能に軸支し、該キャップ８の一端に舌片１５を突設し、他端に小突起１６を設け、該キャップ８の開閉何れの状態にあっても該小突起１６がローラー支持函１の上縁に係止してキャップ８の開閉状態を維持するようにしてある。【選択図】　　　図６
2004090577.tif 000002
【特許請求の範囲】
【請求項１】
ローラー支持函に一対の対向するローラー軸受を設け、このローラー軸受間にスタンプローラーの中心軸を軸支してスタンプローラーを回転可能に支持し、該スタンプローラーの中心軸に半円弧状のカバー体の両側に側壁を設けたキャップを、該スタンプローラーを被覆して回動可能に軸支し、該キャップの一端に舌片を突設し、他端に小突起を設け、該キャップの開閉何れの状態にあっても該小突起がローラー支持函の上縁に係止してキャップの開閉状態を維持するようにしてある蓋付ローラースタンプ。
【請求項２】
上記ローラー軸受をローラー支持函内に起立した一対の脚上部に設け、キャップのカバー体に上記脚が介入するスリットを形成してある上記請求項１に記載の蓋付ローラースタンプ。
【請求項３】
上記ローラー軸受が上記脚の上部に形成した透孔とこの透孔上部に繋がる切り欠きとからなり、この切り欠きの幅寸法が上記透孔の直径より僅かに小寸法であり、スタンプローラーの中心軸を該切り欠きから透孔内に押して入れ込むようにしてある上記請求項２に記載の蓋付ローラースタンプ。
【請求項４】
スタンプローラーの中心軸を軸支する上記キャップの軸受が、キャップの側壁に形成した透孔と、この透孔に繋がる該側壁の縁部に形成した切り欠きとからなり、該切り欠きの幅寸法が透孔の直径より僅かに小寸法であり、スタンプローラーの中心軸を該切り欠きから透孔内に押して入れ込むようにしてある上記請求項１〜３の何れかに記載の蓋付ローラースタンプ。
【発明の詳細な説明】
【０００１】
【発明の属する技術分野】
本発明は、円形のスタンプローラーの周面に印面を有し、中心軸を中心にして回転させることによりスタンプできるようにしたローラースタンプに関し、特に開閉蓋付きのローラースタンプに関する。
【０００２】
【従来の技術】
従来、ローラー支持函に一対の軸受を対向して設け、この一対の軸受間にスタンプローラーを軸支したローラースタンプは公知である。
【０００３】
【発明が解決しようとする課題】
この従来公知のローラースタンプは、上記のように函型をしたローラー支持函に設けた軸受間に軸支し、そのローラー面の一部がローラー支持函から露出する構成とし、スタンプローラーを下向きにして紙面上に接し、スタンプローラーを回転移動させることによってローラー表面の印面を紙面上に転写するようにしていた。この種ローラースタンプは、上記の通りローラー面の一部が露出するために、このローラー面を保護するだけでなく、外の物を汚すことのないようにキャップを設けていた。また、このローラースタンプは、ローラー面を露出させて紙面上を転走させるため、キャップをローラー支持函から分離しなければならないという課題があった。従って、従前公知のローラースタンプはキャップを着脱自在にしていた。
【０００４】
この従前公知のローラースタンプでは、キャップを着脱自在にしていたため、キャップを取り外した場合、このキャップはローラースタンプから分離されてしまい、紛失し易いという課題があった。
本発明は、この課題に鑑み、キャップを開放した場合でもキャップがローラースタンプから分離することなく、しかもローラースタンプを転走させて転写する動きに対して全く邪魔にならないようにした新規な蓋付ローラースタンプを提供するものである。
【０００５】
【課題を解決するための手段】
そのために、本発明蓋付ローラースタンプは、ローラー支持函に一対の対向するローラー軸受を設け、このローラー軸受間にスタンプローラーの中心軸を軸支してスタンプローラーを回転可能に支持し、該スタンプローラーの中心軸に半円弧状のカバー体の両側に側壁を設けたキャップを、該スタンプローラーを被覆して回動可能に軸支し、該キャップの一端に舌片を突設し、他端に小突起を設け、該キャップの開閉何れの状態にあっても該小突起がローラー支持函の上縁に係止してキャップの開閉状態を維持するようにしてある。即ち、本発明蓋付ローラースタンプは、キャップの開閉をキャップをローラー支持函に軸支したままで行うことができ、キャップを分離しないですむとともに、キャップの開放した状態でもこの開放状態を維持でき、スタンプローラーの転走に何ら邪魔になることがない。
【０００６】
さらに、本発明蓋付ローラースタンプは、上記ローラー軸受をローラー支持函内に起立した一対の脚上部に設け、キャップのカバー体に上記脚が介入するスリットを形成してある。キャップにスリットを設けることにより、ローラー支持函内に一対の脚を起立して設け、この脚上部にローラー軸受を設けたローラースタンプにも、ローラー支持函から分離しないキャップを設けることができる。
【０００７】
また、本発明蓋付ローラースタンプは、上記ローラー軸受が上記脚の上部に形成した透孔とこの透孔上部に繋がる切り欠きとからなり、この切り欠きの幅寸法が上記透孔の直径より僅かに小寸法であり、スタンプローラーの中心軸を該切り欠きから透孔内に押して入れ込むようにしてある。即ち、スタンプローラーの中心軸をローラー軸受に押して入れ込み、組み立て分解が容易である。
【０００８】
同じく、本発明蓋付ローラースタンプは、スタンプローラーの中心軸を軸支する上記キャップの軸受が、キャップの側壁に形成した透孔と、この透孔に繋がる該側壁の縁部に形成した切り欠きとからなり、該切り欠きの幅寸法が透孔の直径より僅かに小寸法であり、スタンプローラーの中心軸を該切り欠きから透孔内に押して入れ込むようにしてある。即ち、キャップの軸受にスタンプローラーの中心軸を軸支するのも、キャップを押して入れ込み、組み立て分解が容易である。
【０００９】
【発明の実施の形態】
以下図面に示した実施例により、本発明蓋付ローラースタンプの詳細を説明する。
図中符号１がローラー支持函で、上部を開放した方形の函からなり、合成樹脂材により型成形してある。このローラー支持函１内に一対の対向する板状の脚２，２を起立して一体に設けてあり、それぞれ脚２，２の上部にローラー軸受３，３を設けてある。このローラー軸受３，３は、透孔４とこの透孔上部に繋がる切り欠き５とからなり、この切り欠き５の幅寸法を透孔４の直径より僅かに小寸法にしてある。図中符号６が浸透印からなるスタンプローラーで、両側に中心軸７，７を突出して設け、この中心軸７，７を上記ローラー軸受３，３に軸支してスタンプローラー６をローラー軸受３，３間に回転可能に支持してある。スタンプローラー６の中心軸７，７をローラー軸受３，３に軸支するには、中心軸７，７をローラー軸受３の切り欠き５，５に当てがい、これを押して透孔４，４内に入れ込むようにすればよい。またこの中心軸７，７はそれぞれ後述するキャップを支持するためにローラー軸受３，３より外側に突出させてある。
【００１０】
図中符号８がキャップで、半円弧状のカバー体９とこのカバー体９の両側に一体に設けた側壁１０，１０とにより構成してあり、好ましくは透明な合成樹脂材により型成形してある。このキャップ８の側壁１０，１０の上記カバー体の半円弧の中心位置に軸受１１，１１を設け、この軸受１１，１１に上記スタンプローラー６の中心軸７の先端を軸支して、キャップ８がスタンプローラー６を被覆するようにして回転可能にしてある。
上記軸受１１，１１は上記ローラー軸受３と同じように透孔１２とこの透孔１２に繋がる側壁１０の縁部に形成した切り欠き１３とから構成してあり、該切り欠き１３の幅寸法を透孔１２の直径より僅かに小寸法にしてある。そしてスタンプローラー６の中心軸７に軸受１１を軸支するには、該中心軸７を切り欠き１３に当てがいキャップ８を押して該中心軸７を透孔１２内に入れ込めばよい。
【００１１】
さらに、図中１４，１４はキャップ８を回動開閉するために必要なカバー体９に形成したスリットで、ローラー支持箱１の脚２，２に対応して形成してあり、キャップ８が回動して開放する際にこのスリット１４，１４内に脚２，２が介入するようにしてある。また、図中１５がカバー体９のスリット１４，１４を形成していない側の中央端に設けた舌片で、キャップ８の開放時及び閉鎖時にそれぞれローラー支持函１の上縁に当接するようにしてある。さらに、キャップ８の該舌片１５とは反対端に小突起１６を外向きに突設してあり、キャップ８の開放時及び閉鎖時のそれぞれにローラー支持箱１の上縁上に係止し、キャップ８の開放及び閉鎖状態を維持するようにしてある。この小突起１６とローラー支持箱１の上縁との係合を確実とするために、上縁内側に内面が内向きに傾斜する係止案内突部１７，１７を設けてある。この外図中１８はローラー支持函１に設けた把手である。
【００１２】
上記の通りの構成からなる本発明蓋付ローラースタンプの作用につき以下説明する。先ず、スタンプローラー６はローラー支持函１に起立した一対の脚２，２のローラー軸受３，３間に軸支されているから自由に回転できる。同じくキャップ８もその両端の軸受１１，１１をスタンプローラー６の中心軸７，７に支持させており、上記脚２，２を介入するスリット１４，１４を形成してあるから、開閉自由である。そこで、キャップ８の閉状態では図１及び図３に示す通り、舌片１５がローラー支持函１の上縁に当接し、反対側の小突起１６が同じくローラー支持箱の係止案内突起１７位置の上縁に係止している。
この状態からキャップ８を、舌片１５を押して図３上時計回り方向に回動すると、舌片１５と反対側の小突起１６とローラー支持函１の上縁の係合が解かれ、図４に示す位置まで１８０°回動し開放されスタンプローラー６が露呈する。この際、脚２，２がカバー体９のスリット１４，１４中に介入し、小突起１６が係止案内突起１７の内側を通過してローラー支持函１の上縁上に出て係合し、キャップの開放状態が維持される。従ってスタンプローラー６を紙面上に当ててこれを転走するとスタンプローラー６の印面を紙面上に転写できる。
反対にキャップ８を閉じる際には、図４上舌片１５を反時計方向に押して回動すれば、小突起と上縁との係合を解き、小突起が逆側の係止案内突部に沿って上縁上に突出係合し、図３に示す通り閉鎖状態が維持できる。
【００１３】
【発明の効果】
本発明蓋付ローラースタンプは、ローラー支持函に一対の対向するローラー軸受を設け、このローラー軸受間にスタンプローラーの中心軸を軸支してスタンプローラーを回転可能に支持し、該スタンプローラーの中心軸に半円弧状のカバー体の両側に側壁を設けたキャップを、該スタンプローラーを被覆して回動可能に軸支し、該キャップの一端に舌片を突設し、他端に小突起を設け、該キャップの開閉何れの状態にあっても該小突起がローラー支持函の上縁に係止してキャップの開閉状態を維持するようにしてあるから、キャップの開閉をキャップをローラー支持函に軸支したままで行うことができ、キャップを分離しないですむとともに、キャップの開放した状態でもこの開放状態を維持でき、スタンプローラーの転走に何ら邪魔になることがない。
【００１４】
さらに、本発明蓋付ローラースタンプは、上記ローラー軸受をローラー支持函内に起立した一対の脚上部に設け、キャップのカバー体に上記脚が介入するスリットを形成してあるから、ローラー支持函内に一対の脚を起立して設け、この脚上部にローラー軸受を設けたローラースタンプにも、ローラー支持函から分離しないキャップを設けることができる。
【００１５】
また、本発明蓋付ローラースタンプは、上記ローラー軸受が上記脚の上部に形成した透孔とこの透孔上部に繋がる切り欠きとからなり、この切り欠きの幅寸法が上記透孔の直径より僅かに小寸法であり、スタンプローラーの中心軸を該切り欠きから透孔内に押して入れ込むようにしてあるから、スタンプローラーの中心軸をローラー軸受に押して入れ込み、組み立て分解が容易である。
【００１６】
同じく、本発明蓋付ローラースタンプは、スタンプローラーの中心軸を軸支する上記キャップの軸受が、キャップの側壁に形成した透孔と、この透孔に繋がる該側壁の縁部に形成した切り欠きとからなり、該切り欠きの幅寸法が透孔の直径より僅かに小寸法であり、スタンプローラーの中心軸を該切り欠きから透孔内に押して入れ込むようにしてあるから、キャップの軸受にスタンプローラーの中心軸を軸支するのも、キャップを押して入れ込み、組み立て分解が容易である。
【図面の簡単な説明】
【図１】本発明蓋付ローラースタンプの閉蓋状態を示す斜視図である。
【図２】同じく開蓋状態を示す斜視図である。
【図３】同じく閉蓋状態を示す中心軸に直交する方向に沿う断面図である。
【図４】同じく開蓋状態を示す中心軸に直交する方向に沿う断面図である。
【図５】同じく中心軸方向に沿う断面図である。
【図６】同じく分解斜視図である。
【符号の説明】
１　ローラー支持函
２　脚
３　ローラー軸受
４　透孔
５　切り欠き
６　スタンプローラー
７　中心軸
８　キャップ
９　カバー体
１０　側壁
１１　軸受
１２　透孔
１３　切り欠き
１４　スリット
１５　舌片
１６　小突起
１７　係止案内突起
１８　把手
【図１】
2004090577.tif 000003
【図２】
2004090577.tif 000004
【図３】
2004090577.tif 000005
【図４】
2004090577.tif 000006
【図５】
2004090577.tif 000007
【図６】
2004090577.tif 000008